(57)【要約】【課題】流通性及び使用性に優れた新規な薄肉容器を提供する。【解決手段】本発明の薄肉容器１は、内容物を充填する胴部2と、この胴部2に繋がる先細りの肩部3と、この肩部3から起立する注出筒4と、この注出筒4に切断予定線5を介して分離可能に連結される栓体6とを有し、胴部2の上端を内側に折り返して肩部3に連結する折り返し部2aを形成することで、把手7を折り畳んだ栓体6が胴部2内側に収納されるように、肩部3を胴部2の内側に陥没可能にすると共に、当該胴部2の対向する２つの側面に、軸線O方向に延在し空気層からなる補強部7を設ける。【選択図】図２
2010149884.tif 000002
【特許請求の範囲】
【請求項１】
内容物を充填する胴部と、この胴部に繋がる先細りの肩部と、この肩部から起立する注出筒と、この注出筒の先端開口に切断予定線を介して分離可能に連結される栓体とを有し、
胴部の上端を内側に折り返して肩部に連結する折り返し部を形成することで、当該肩部を胴部の内側に陥没可能にすると共に、
当該胴部の対向する少なくとも２つの側面に、空気層を有し軸線方向に延在してなる補強部を設けたことを特徴とする、薄肉容器。
【請求項２】
請求項１において、前記補強部は、前記折り返し部と同一位置まで延在してなることを特徴とする、薄肉容器。
【請求項３】
請求項１又は２において、前記補強部は、肩部に向かうに従って外向きに広がる形状をしてなることを特徴とする、薄肉容器。
【発明の詳細な説明】
【技術分野】
【０００１】
本発明は、把手を備えた栓体を一体に形成してなる薄肉容器であって、その保管や搬送等を効率的に行うための技術に関するものである。
【背景技術】
【０００２】
従来の薄肉容器としては、例えば、内容物を充填する胴部から注出筒を突出させることで内容物の注出が容易で、また、この注出筒の先端開口に連結した栓体に把手を設けることで、当該栓体を分離させ易くした薄肉ブロー成形容器がある（例えば、特許文献１参照）。
【特許文献１】特開２００５−６７７０５号公報
【発明の開示】
【発明が解決しようとする課題】
【０００３】
しかしながら、こうした従来の薄肉容器は、薄肉であるが故に、例えば、より薄肉化を図りつつ、内容量を増加させようとする場合、内容物を充填すると、容器全体が押し広がって潰れた形状になる等、自立時の形状維持が困難なことがある。この場合、保管や搬送の際に嵩張るという問題がある。このため、本願発明者は、保管や搬送に有効な薄肉容器に対する需要を認識するに至った。
【０００４】
本発明は、こうした事実認識に基づいてなされたものであり、その目的とするところは、流通性と使用性に優れた新規な薄肉容器を提供することにある。
【課題を解決するための手段】
【０００５】
本発明である、薄肉容器は、内容物を充填する胴部と、この胴部に繋がる先細りの肩部と、この肩部から起立する注出筒と、この注出筒の先端開口に切断予定線を介して分離可能に連結される栓体とを有し、
胴部の上端を内側に折り返して肩部に連結する折り返し部を形成することで、当該肩部を胴部の内側に陥没可能にすると共に、
当該胴部の対向する少なくとも２つの側面に、空気層を有し軸線方向に延在してなる補強部を設けたことを特徴とするものである。
【０００６】
前記補強部は、前記折り返し部と同一位置まで延在してなるものが好ましい。また、前記補強部は、肩部に向かうに従って外向きに広がる形状をしてなるものが好ましい。
【０００７】
また、本発明に係る薄肉容器としては、薄肉のブロー成形容器及び射出成形容器など、様々な容器が挙げられる。
【発明の効果】
【０００８】
本発明によれば、折り返し部を介して肩部と共に栓体を胴部の内側に押し込めば、当該栓体が肩部と共に胴部の内側に収納されるので、容器全体を倒立させれば、当該折り返し部を座部として自立させることができる。これにより、栓体が胴部から突出することなく自立できるので、容器をコンパクト化することができる。このため、本発明によれば、保管時や搬送時、又は、陳列時等において嵩張り難く、スペースの有効活用が図れる。
【０００９】
加えて、本発明によれば、胴部の対向する少なくとも２つの側面に、空気層を有し軸線方向に延在してなる補強部を設けたことで、胴部両側の強度が向上することから、内容物を充填させた状態で自立させても、胴部の潰れ難い保形性の高い容器となる。
【００１０】
また、容器として使用する際には、栓体を底部ごと胴部から引き出せば、肩部から注出筒を起立させることができる。このため、従来と同様、内容物を容易に取り出すことができる。
【００１１】
従って、本発明によれば、流通性と使用性に優れた新規な薄肉容器を提供することができる。
【００１２】
ところで、大容量の内溶液が胴部内に収納された場合、補強部が存在することで自立性を維持できる。即ち、前記補強部は、折り返し部を座部として自立させたとき、内容物を充填したことで胴部が沈み込んだ場合、当該折り返し部と共に座部となる。このため、補強部は、折り返し部と同一位置まで延在させる必要は必ずしもない。
【００１３】
これに対し、補強部を折り返し部と同一位置まで延在させれば、内容物を充填したときの状態にかかわりなく、当該補強部は折り返し部と共に座部となる。このため、補強部を折り返し部と同一位置まで延在させれば、容器を倒立させて折り返し部を座部としたときの自立性能を向上させることができる。
【００１４】
更に、補強部を肩部に向かうに従って外向きに広がる形状とすれば、折り返し部を座部として自立させたときの安定性が向上する。即ち、補強部を肩部に向かうに従って外向きに広がる形状としても、容器を倒立させて折り返し部を座部としたときの自立性能を向上させることができる。また、補強部を肩部に向かうに従って外向きに広がる形状とすれば、折り返し部を座部とした状態で握り易いことから、持ち運びも容易になる。
【発明を実施するための最良の形態】
【００１５】
図１，２はそれぞれ、本発明の一形態である、チューブ形の薄肉ブロー成形容器（以下、「薄肉容器」という）１の平面図及び正面図であり、図３，４はそれぞれ、同薄肉容器１の側面図及び底面図である。また、図５は、同薄肉容器１をコンパクト化して自立させた状態を一部断面で示す正面図である。
【００１６】
薄肉容器１は、図２，３に示すように、内容物を充填する胴部２と、この胴部２に繋がり、胴部軸線Ｏに沿って先細りの肩部３と、この肩部３から胴部軸線Ｏに沿って起立する注出筒４と、この注出筒４の先端開口に薄肉部として形成された切断予定線５を介して分離可能に連結される栓体６と共に、胴部２の対向する２つの側面に延在させた補強部７を一体にブロー形成し、その下端に熱シールを行うことで、底部８を形成してなる。
【００１７】
また、本形態では、胴部２の上端を胴部２の内側に湾曲させることで胴部軸線Ｏを取り囲むように環状の折り返し部２ａを形成し、この折り返し部２ａを介して胴部２を肩部３に連結する。これにより、肩部３を胴部軸線Ｏに沿って胴部３の内側に押し込めば、肩部３は、図２，３の破線や図５に示すように、胴部軸線Ｏに沿って胴部３の内側に向かって反転、陥没させることができる。
【００１８】
かかる構成によれば、胴部２に対する肩部３の陥没量を、折り返し部２ａから把手６aまでの高さ等に応じて適宜設定することで、栓体６で封止された注出筒４は、図５に示すように、折り返し部２ａを介して栓体６ごと、胴部３の内側に収納することができる。
【００１９】
また、補強部７は、図２に示すように、軸線Ｏに沿って延在し、胴部２を正面面から見たときの当該容器本体２の軸線Ｏに沿った稜線に沿って連続的に延在させてなる。本形態に係る補強部７は、Ｘ−Ｘ断面に示すように、その内側に空気層７ｒが形成されたチューブ状のエアフレーム７ａと、エアフレーム７ａを胴部２に連結する薄肉の連結部７ｂとで構成されている。
【００２０】
補強部７を設ければ、薄肉の胴部２に対して一定の剛性（強度）が得られることで、当該胴部２を把持したときに変形し難くなる。このため、補強部７を設けることで、内容物が注ぎ易くなる。また、補強部７は、栓体３を分離する際の補助把手部としても機能させることができる。
【００２１】
なお、エアフレーム７ａは、円形断面に限定されることなく、四角形断面、三角形断面（これら頂点又は辺を連結部７ｂに対して連結可能）等の様々な断面形状のものを適用させることができる。また、本形態の如く、胴部２に内溶液を充填後、熱シールを行って底部９を形成した場合、胴部２の対向する２つの側面に空気層７ｒを有する補強部７を同時に設けることができる。
【００２２】
即ち、本形態の薄肉容器１によれば、折り返し部２ａを介して肩部３と共に栓体６を胴部２の内側に押し込めば、当該栓体６が肩部３と共に胴部２の内側に収納されるので、容器全体を図５に示すように倒立させれば、当該折り返し部２ａを座部Ｓ1として自立させることができる。これにより、栓体６が胴部１から突出することなく自立できるので、薄肉容器１そのものをコンパクト化することができる。このため、本形態の薄肉容器１によれば、保管時や搬送時、又は、陳列時等において嵩張り難く、スペースの有効活用が図れる。
【００２３】
加えて、本形態の薄肉容器１によれば、胴部２の対向する２つの側面に、空気層７ｒを有し軸線Ｏ方向に延在してなる補強部７を設けたことで、胴部２両側の強度が向上することから、内容物を充填させた状態で自立させても、胴部２の潰れ難い保形性の高い容器となる。
【００２４】
また、容器として使用する際には、栓体６ごと注出筒４を胴部軸線Ｏに沿って上向きに引き上げることで胴部３から引き出せば、図２，３に示すように、肩部３から注出筒４を起立させることができる。このため、注出筒４を引き上げた後、栓体６の把手６ａを把持して切断予定線５に沿って切断すれば、従来と同様、内容物を容易に取り出すことができる。
【００２５】
従って、本形態の薄肉容器１によれば、流通性及び使用性に優れた新規な薄肉容器を提供することができる。
【００２６】
ところで、大容量の内溶液が胴部２内に収納された場合、補強部７が存在することで自立性を維持できる。即ち、補強部７は、折り返し部２ａを座部Ｓ1として自立させたとき、内容物を充填したことで胴部２が沈み込んだ場合、当該折り返し部２ａと共に座部Ｓ2となる。このため、補強部７は、折り返し部２ａと同一位置まで延在させる必要は必ずしもない。
【００２７】
これに対し、本形態では、補強部７を図２等に示すように折り返し部２ａと同一位置まで延在させている。かかる構成によれば、内容物を充填したときの状態にかかわりなく、当該補強部７は折り返し部２ａと共に座部Ｓ2となる。このため、本形態の如く、補強部７を折り返し部２ａと同一位置まで延在させれば、薄肉容器１を倒立させて折り返し部２ａを座部Ｓ1としたときの自立性能を向上させることができる。
【００２８】
また、本形態では、図２に示すように、補強部７の相互間の外形寸法Ｄを、折り返し部２ａの位置での外形寸法をＤ3とすると、軸線Ｏに沿って底部８に向かうに従って外向きに広がって最外形寸法Ｄ2の位置に到達する。その後、外形寸法Ｄは、軸線Ｏに沿って底部８に向かうに従って内向きに小さくなって外形寸法Ｄ1の位置に到達する。そして、外形寸法Ｄ1の位置に到達した後の外形寸法Ｄは、軸線Ｏに沿って底部８に向かうに従って更に小さくなり、底部９に達した位置からは、軸線Ｏに沿って底部８に向かうに従って更に小さくなる。
【００２９】
これに対し、本発明では、図２や図５の仮想線で示すように、補強部７の相互間の外形寸法Ｄ3を小さくすることなく、補強部７を肩部３に向かうに従って外向きに広がる形状とすれば、折り返し部２ａを座部Ｓ1として自立させたときの安定性がさらに向上する。即ち、補強部７を肩部３に向かうに従って外向きに広がる形状としても、薄肉容器１を倒立させて折り返し部２ａを座部Ｓ1としたときの自立性能を向上させることができる。また、補強部７を肩部３に向かうに従って外向きに広がる形状とすれば、折り返し部２ａを座部Ｓ1とした状態で握り易いことから、持ち運びも容易になる。
【００３０】
上述したところは、本発明の一形態を示したものに過ぎず、薄肉注出容器の用途に応じて様々に設計変更することができる。例えば、薄肉容器としては、薄肉のブロー成形容器ではなく、射出成形容器等も採用できる。
【産業上の利用可能性】
【００３１】
本発明は、チューブ形容器だけでなく、スタンディングタイプのボトル等、注出筒を有る容器であれば、様々な形状の容器に適用することができる。即ち、シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００３２】
【図１】本発明の一形態である、チューブ形の薄肉ブロー成形容器の平面図である。
【図２】同薄肉容器の正面図である。
【図３】同薄肉容器の側面図である。
【図４】同薄肉容器の底面図である。
【図５】同薄肉容器をコンパクト化して倒立させた状態を一部断面で示す正面図である。
【符号の説明】
【００３３】
１    薄肉容器
２    胴部
２ａ  折り返し部
３    肩部
４    注出筒
５    切断予定線
６    栓体
６ａ  把手
７    補強部
７ａ  エアフレーム
７ｂ  連結部
８    底部（シール部）
【図１】
2010149884.tif 000003
【図２】
2010149884.tif 000004
【図３】
2010149884.tif 000005
【図４】
2010149884.tif 000006
【図５】
2010149884.tif 000007